(57)【特許請求の範囲】
【請求項１】
濾波雑音場（ＦＮＦ）を使用した多重化前駆体イオン選択のためのシステムであって、
前記システムは、
質量分析計と、
前記質量分析計と通信するプロセッサと
を備え、
前記質量分析計は、
イオンの連続ビームを提供するイオン源と、
前記イオンの連続ビームを受け取る第１の四重極Ｑ０であって、前記第１の四重極Ｑ０は、ＦＮＦ波形を前記第１の四重極Ｑ０内のロッドまたは電極に印加することにより、周波数成分およびノッチのコームで前記イオンの連続ビームの質量範囲を励起することにより、前記質量範囲内の２つ以上の異なる前駆体イオンを選択し、前記２つ以上の異なる前駆体イオンおよび前記質量範囲の外の前駆体イオンを伝送するように適合されており、前記周波数成分は、前記イオンの連続ビームから対応する前駆体イオンを除去し、前記ノッチは、前記質量範囲内の前記２つ以上の異なる前駆体イオンの除去を防止する、第１の四重極Ｑ０と、
前記第１の四重極Ｑ０から伝送される前記２つ以上の異なる前駆体イオンおよび前記質量範囲の外の前駆体イオンを受け取る第２の四重極Ｑ１であって、前記第２の四重極Ｑ１は、無線周波数（ＲＦ）電位および分解直流（ＤＣ）電位を印加することにより、受け取られたイオンを励起して前記質量範囲の外の前駆体イオンを除去するように適合されている、第２の四重極Ｑ１と
を含み、
前記プロセッサは、
前記２つ以上の異なる前駆体イオンに対応する周波数成分に対するノッチを含むＦＮＦ波形を計算することによって、前記第１の四重極Ｑ０内の前記イオンの連続ビームから前記２つ以上の異なる前駆体イオンを選択することと、
前記第１の四重極Ｑ０が前記計算されたＦＮＦ波形を前記第１の四重極Ｑ０内の前記ロッドまたは電極に印加することにより、前記第１の四重極Ｑ０を通過させながら前記イオンの連続ビームを励起し、前記２つ以上の異なる前駆体イオンおよび前記質量範囲の外の前駆体イオンを前記第２の四重極Ｑ１に伝送するように、前記質量分析計に情報を送信することによって、前記計算されたＦＮＦ波形を前記第１の四重極Ｑ０内の前記ロッドまたは電極に印加することであって、前記２つ以上の異なる前駆体イオンおよび前記質量範囲の外の前駆体イオンは、前記計算されたＦＮＦ波形を前記第１の四重極Ｑ０内の前記ロッドまたは電極に印加することによって、同時に選択および伝送される、ことと、
前記２つ以上の異なる前駆体イオンを含む前記質量範囲の外の前駆体イオンを除去するために前記受け取られたイオンを励起するために印加されるＲＦ電位およびＤＣ電位を計算することと、
前記第２の四重極Ｑ１が前記計算されたＲＦ電位およびＤＣ電位を印加することにより、前記受け取られたイオンを励起し、前記質量範囲の外の前駆体イオンを除去するように、追加の制御情報を前記質量分析計に送信することと
を行う、システム。
【請求項２】
前記第１の四重極Ｑ０は、前記計算されたＦＮＦ波形を対のロッド間に印加することによって、前記計算されたＦＮＦ波形を印加する、請求項１に記載のシステム。
【請求項３】
前記第１の四重極Ｑ０は、前記第１の四重極Ｑ０のロッド間に設置された補助電極をさらに含む、請求項１に記載のシステム。
【請求項４】
前記第１の四重極Ｑ０は、前記計算されたＦＮＦ波形を対の前記補助電極間に印加することによって、前記計算されたＦＮＦ波形を印加する、請求項３に記載のシステム。
【請求項５】
前記第１の四重極Ｑ０と前記第２の四重極Ｑ１とは、分断されている、請求項１〜４のいずれか一項に記載のシステム。
【請求項６】
濾波雑音場（ＦＮＦ）を使用した多重化前駆体イオン選択のための方法であって、前記方法は、
プロセッサを使用して、２つ以上の異なる前駆体イオンに対応する周波数成分に対するノッチを含むＦＮＦ波形を計算することによって、第１の四重極Ｑ０内のイオンの連続ビームから前記２つ以上の異なる前駆体イオンを選択することと、
前記プロセッサを使用して、質量分析計に情報を送信することによって、前記計算されたＦＮＦ波形を前記第１の四重極Ｑ０内のロッドまたは電極に印加することであって、前記質量分析計は、
前記イオンの連続ビームを提供するイオン源と、
前記第１の四重極Ｑ０であって、前記第１の四重極Ｑ０は、前記イオンの連続ビームを受け取り、前記第１の四重極Ｑ０が、前記計算されたＦＮＦ波形を前記第１の四重極Ｑ０内のロッドまたは電極に印加することにより、周波数成分およびノッチのコームで前記イオンの連続ビームの質量範囲を励起することにより、前記質量範囲内の前記２つ以上の異なる前駆体イオンを選択し、前記２つ以上の異なる前駆体イオンおよび前記質量範囲の外の前駆体イオンを伝送するようにし、前記周波数成分は、前記イオンの連続ビームから対応する前駆体イオンを除去し、前記ノッチは、前記質量範囲内の前記２つ以上の異なる前駆体イオンの除去を防止し、前記２つ以上の異なる前駆体イオンおよび前記質量範囲の外の前駆体イオンは、前記計算されたＦＮＦ波形を前記第１の四重極Ｑ０内の前記ロッドまたは電極に印加することによって、同時に選択および伝送される、第１の四重極Ｑ０と、
前記第１の四重極Ｑ０から伝送される前記２つ以上の異なる前駆体イオンおよび前記質量範囲の外の前駆体イオンを受け取る第２の四重極Ｑ１であって、前記第２の四重極Ｑ１は、無線周波数（ＲＦ）電位および分解直流（ＤＣ）電位を印加することにより、受け取られたイオンを励起して前記質量範囲の外の前駆体イオンを除去するように適合されている、第２の四重極Ｑ１と
を含む、ことと、
前記２つ以上の異なる前駆体イオンを含む前記質量範囲の外の前駆体イオンを除去するために前記受け取られたイオンを励起するために印加されるＲＦ電位およびＤＣ電位を計算することと、
前記第２の四重極Ｑ１が前記計算されたＲＦ電位およびＤＣ電位を印加することにより、前記受け取られたイオンを励起し、前記質量範囲の外の前駆体イオンを除去するように、追加の制御情報を前記質量分析計に送信することと
を含む、方法。
【請求項７】
前記第１の四重極Ｑ０は、前記計算されたＦＮＦ波形を対のロッド間に印加することによって、前記計算されたＦＮＦ波形を印加する、請求項６に記載の方法。
【請求項８】
前記第１の四重極Ｑ０は、前記第１の四重極Ｑ０のロッド間に設置された補助電極をさらに含む、請求項６に記載の方法。
【請求項９】
前記第１の四重極Ｑ０は、前記計算されたＦＮＦ波形を対の前記補助電極間に印加することによって、前記計算されたＦＮＦ波形を印加する、請求項８に記載の方法。
【請求項１０】
前記第１の四重極Ｑ０と前記第２の四重極Ｑ１とは、分断されている、請求項６〜９のいずれか一項に記載の方法。
【請求項１１】
非一過性の有形コンピュータ読み取り可能な記憶媒体であって、前記非一過性の有形コンピュータ読み取り可能な記憶媒体のコンテンツは、命令を伴うプログラムを含み、前記命令は、プロセッサ上で実行されることにより、濾波雑音場（ＦＮＦ）を使用した多重化前駆体イオン選択のための方法を実施し、前記方法は、
システムを提供することであって、前記システムは、１つ以上の個別のソフトウェアモジュールを備え、前記個別のソフトウェアモジュールは、分析モジュールおよび制御モジュールを備えている、ことと、
前記分析モジュールを使用して、２つ以上の異なる前駆体イオンに対応する周波数成分に対するノッチを含むＦＮＦ波形を計算することによって、第１の四重極Ｑ０内のイオンの連続ビームから前記２つ以上の異なる前駆体イオンを選択することと、
前記制御モジュールを使用して、質量分析計に情報を送信することによって、前記計算されたＦＮＦ波形を前記第１の四重極Ｑ０内のロッドまたは電極に印加することであって、前記質量分析計は、
前記イオンの連続ビームを提供するイオン源と、
前記第１の四重極Ｑ０であって、前記第１の四重極Ｑ０は、前記イオンの連続ビームを受け取り、前記第１の四重極Ｑ０が、前記計算されたＦＮＦ波形を前記第１の四重極Ｑ０内の前記ロッドまたは電極に印加することにより、周波数成分およびノッチのコームで前記イオンの連続ビームの質量範囲を励起することにより、前記質量範囲内の前記２つ以上の異なる前駆体イオンを選択し、前記２つ以上の異なる前駆体イオンおよび前記質量範囲の外の前駆体イオンを伝送するようにし、前記周波数成分は、前記イオンの連続ビームから対応する前駆体イオンを除去し、前記ノッチは、前記質量範囲内の前記２つ以上の異なる前駆体イオンの除去を防止し、前記２つ以上の異なる前駆体イオンおよび前記質量範囲の外の前駆体イオンは、前記計算されたＦＮＦ波形を前記第１の四重極Ｑ０内の前記ロッドまたは電極に印加することによって、同時に選択および伝送される、第１の四重極Ｑ０と、
前記第１の四重極Ｑ０から伝送される前記２つ以上の異なる前駆体イオンおよび前記質量範囲の外の前駆体イオンを受け取る第２の四重極Ｑ１であって、前記第２の四重極Ｑ１は、無線周波数（ＲＦ）電位および分解直流（ＤＣ）電位を印加することにより、受け取られたイオンを励起して前記質量範囲の外の前駆体イオンを除去するように適合されている、第２の四重極Ｑ１と
を含む、ことと、
前記２つ以上の異なる前駆体イオンを含む前記質量範囲の外の前駆体イオンを除去するために前記受け取られたイオンを励起するために印加されるＲＦ電位およびＤＣ電位を計算することと、
前記第２の四重極Ｑ１が前記計算されたＲＦ電位およびＤＣ電位を印加することにより、前記受け取られたイオンを励起し、前記質量範囲の外の前駆体イオンを除去するように、追加の制御情報を前記質量分析計に送信することと
を含む、非一過性の有形コンピュータ読み取り可能な記憶媒体。
【請求項１２】
前記第１の四重極Ｑ０は、前記計算されたＦＮＦ波形を対のロッド間に印加することによって、前記計算されたＦＮＦ波形を印加する、請求項１１に記載の非一過性の有形コンピュータ読み取り可能な記憶媒体。
【請求項１３】
前記第１の四重極Ｑ０は、前記第１の四重極Ｑ０のロッド間に設置された補助電極をさらに含み、前記第１の四重極Ｑ０は、前記計算されたＦＮＦ波形を対の前記補助電極間に印加することによって、前記計算されたＦＮＦ波形を印加する、請求項１１に記載の非一過性の有形コンピュータ読み取り可能な記憶媒体。
【請求項１４】
前記第１の四重極Ｑ０と前記第２の四重極Ｑ１とは、分断されている、請求項１１に記載の非一過性の有形コンピュータ読み取り可能な記憶媒体。
【請求項１５】
前記第１の四重極Ｑ０および前記第２の四重極Ｑ１は、別個の電力供給源によって供給される、請求項１に記載のシステム。
【請求項１６】
前記第１の四重極Ｑ０および前記第２の四重極Ｑ１は、別個の電力供給源によって供給される、請求項６に記載の方法。
【請求項１７】
前記第１の四重極Ｑ０および前記第２の四重極Ｑ１は、別個の電力供給源によって供給される、請求項１１に記載の非一過性の有形コンピュータ読み取り可能な記憶媒体。
【発明の詳細な説明】
【技術分野】
【０００１】
（関連出願の引用）
本願は、米国仮特許出願第６１／９０１，０９０号（２０１３年１１月７日出願）の利益を主張し、上記出願の内容は、その全体が参照により本明細書に引用される。
【背景技術】
【０００２】
高スループット定量質量分析（ＭＳ）は、概して、質量分析計に対する多重反応監視（ＭＲＭ）を使用して行われ、質量分析計は、三連四重極質量分析計、ハイブリッド線形イオントラップ四重極質量分析計、または四重極飛行時間質量分析計器具等の質量フィルタリング四重極を採用する。従来、標的前駆体イオンは、別個に、質量選択および断片化される。複数の前駆体イオンのこの直列分析は、データ収集プロセスの全体的デューティサイクル、収集される定量データの信号対雑音比（Ｓ／Ｎ）、および監視される前駆体イオンの数間のトレードオフにつながる。換言すると、前駆体イオンに対するＳ／Ｎを増加させることは、そのデューティサイクルが増加されることを要求し、これは、ある他の前駆体が、低減したデューティサイクルを有することを含意する。
【０００３】
例えば、収集される定量データのあるＳ／Ｎを達成するために、Ｎ個の標的前駆体イオンの各標的前駆体イオンの分析時間は、Δｔ増加される。これは、ひいては、総測定時間をＮ×Δｔ増加させ、着目前駆体イオンに対するデューティサイクルの増加につながる。換言すると、総測定時間が固定される場合、個々の前駆体イオンに対する測定時間の増加は、より少ない前駆体イオンが監視され得ることを意味する。これは、Ｎの低減につながる。デューティサイクルは、いくつかの前駆体イオンに対しては増加するが、その他に対しては低下する。同様に、狭液体クロマトグラフィ（ＬＣ）ピークにわたりＮ個の標的前駆体イオンに対する定量データを収集するために、例えば、各標的前駆体イオンの分析時間は、減少し得る。換言すると、測定数Ｎを増加させるために、各前駆体イオンに対する分析時間を減らす必要がある。これは、ＬＣピークの幅が、総測定時間を設定するためである。その結果、各標的前駆体イオンに対して収集される定量データのＳ／Ｎは、減少し、これは、より高いＳ／Ｎが好ましいため、望ましくない。
【発明の概要】
【課題を解決するための手段】
【０００４】
濾波雑音場（ＦＮＦ）を使用した多重化前駆体イオン選択のためのシステムが、開示される。本システムは、質量分析計と、プロセッサとを含む。質量分析計は、イオンの連続ビームを提供する、イオン源を含む。質量分析計はさらに、イオンの連続ビームを受け取り、ＦＮＦ波形をイオンの連続ビームに印加するように適合されている第１の四重極を含む。
【０００５】
プロセッサは、ＦＮＦ波形を計算することによって、２つ以上の異なる前駆体イオンを選択する。プロセッサは、計算されたＦＮＦ波形をイオンの連続ビームに印加する。ＦＮＦ波形は、第１の四重極が計算されたＦＮＦ波形をイオンの連続ビームに印加するように、情報を質量分析計に送信することによって、イオンの連続ビームに印加される。
【０００６】
ＦＮＦを使用した多重化前駆体イオン選択のための方法が、開示される。２つ以上の異なる前駆体イオンが、ＦＮＦ波形を計算することによって、プロセッサを使用して選択される。計算されたＦＮＦ波形は、情報を質量分析計に送信することによって、プロセッサを使用して、イオンの連続ビームに印加される。質量分析計は、イオンの連続ビームを提供するイオン源を含む。質量分析計はさらに、第１の四重極が計算されたＦＮＦ波形をイオンの連続ビームに印加するように、イオンの連続ビームを受け取る第１の四重極を含む。
【０００７】
非一過性の有形コンピュータ読み取り可能な記憶媒体を含む、コンピュータプログラム製品が開示され、そのコンテンツは、ＦＮＦを使用した多重化前駆体イオン選択のための方法を実施するように、プロセッサ上で実行される命令を伴うプログラムを含む。
【０００８】
本方法は、システムを提供することを含み、本システムは、１つ以上の個別のソフトウェアモジュールを備え、個別のソフトウェアモジュールは、分析モジュールおよび制御モジュールを備えている。分析モジュールは、ＦＮＦ波形を計算することによって、２つ以上の異なる前駆体イオンを選択する。制御モジュールは、情報を質量分析計に送信することによって、計算されたＦＮＦ波形をイオンの連続ビームに印加する。質量分析計は、イオンの連続ビームを提供するイオン源を含む。質量分析計はさらに、第１の四重極が計算されたＦＮＦ波形をイオンの連続ビームに印加するように、イオンの連続ビームを受け取る第１の四重極を含む。
本明細書は、例えば、以下の項目も提供する。
（項目１）
濾波雑音場（ＦＮＦ）を使用した多重化前駆体イオン選択のためのシステムであって、
イオンの連続ビームを提供するイオン源と、前記イオンの連続ビームを受け取り、ＦＮＦ波形を前記イオンの連続ビームに印加するように適合されている第１の四重極とを含む質量分析計と、
前記質量分析計と通信するプロセッサと
を備え、
前記プロセッサは、
ＦＮＦ波形を計算することによって、２つ以上の異なる前駆体イオンを選択することと、
前記第１の四重極が前記計算されたＦＮＦ波形を前記イオンの連続ビームに印加するように、前記質量分析計に情報を送信することによって、前記計算されたＦＮＦ波形を前記イオンの連続ビームに印加することと
を行う、濾波雑音場を使用した多重化前駆体イオン選択のためのシステム。
（項目２）
前記第１の四重極は、前記計算されたＦＮＦ波形を対のロッド間に印加することによって、前記計算されたＦＮＦ波形を前記イオンの連続ビームに印加する、濾波雑音場を使用した多重化前駆体イオン選択のためのシステムの前記項目の任意の組み合わせのシステム。
（項目３）
前記第１の四重極は、前記第１の四重極のロッド間に設置された補助電極をさらに含む、濾波雑音場を使用した多重化前駆体イオン選択のためのシステムの前記項目の任意の組み合わせのシステム。
（項目４）
前記第１の四重極イオンは、前記計算されたＦＮＦ波形を前記対の補助電極間に印加することによって、前記計算されたＦＮＦ波形を前記イオンの連続ビームに印加する、濾波雑音場を使用した多重化前駆体イオン選択のためのシステムの前記項目の任意の組み合わせのシステム。
（項目５）
前記質量分析計は、前記第１の四重極から伝送されるイオンを受け取り、無線周波数（ＲＦ）電位および分解直流（ＤＣ）電位を前記受け取られたイオンに印加するように適合されている第２の四重極をさらに含み、
前記プロセッサは、前記２つ以上の異なる前駆体イオンを含む質量範囲外の前駆体イオンを除去するために、前記受け取られたイオンに印加するためのＲＦ電位およびＤＣ電位をさらに計算し、前記プロセッサ、前記第２の四重極が前記計算されたＲＦ電位およびＤＣ電位を前記受け取られたイオンに印加するように、前記質量分析計に追加の制御情報をさらに送信する、
濾波雑音場を使用した多重化前駆体イオン選択のためのシステムの前記項目の任意の組み合わせのシステム。
（項目６）
前記第１の四重極と前記第２の四重極とは、分断されている、濾波雑音場を使用した多重化前駆体イオン選択のためのシステムの前記項目の任意の組み合わせのシステム。
（項目７）
濾波雑音場（ＦＮＦ）を使用した多重化前駆体イオン選択のための方法であって、
プロセッサを使用して、ＦＮＦ波形を計算することによって、２つ以上の異なる前駆体イオンを選択することと、
前記プロセッサを使用して、質量分析計に情報を送信することによって、前記計算されたＦＮＦ波形をイオンの連続ビームに印加することと
を含み、
前記質量分析計は、前記イオンの連続ビームを提供するイオン源と、前記イオンの連続ビームを受け取る第１の四重極とを含み、前記第１の四重極は、前記計算されたＦＮＦ波形を前記イオンの連続ビームに印加する、濾波雑音場を使用した多重化前駆体イオン選択のための方法。
（項目８）
前記第１の四重極は、前記計算されたＦＮＦ波形を対のロッド間に印加することによって、前記計算されたＦＮＦ波形を前記イオンの連続ビームに印加する、濾波雑音場を使用した多重化前駆体イオン選択のための方法の前記項目の任意の組み合わせの方法。
（項目９）
前記第１の四重極は、前記第１の四重極のロッド間に設置された補助電極をさらに含む、濾波雑音場を使用した多重化前駆体イオン選択のための方法の前記項目の任意の組み合わせの方法。
（項目１０）
前記第１の四重極イオンは、前記計算されたＦＮＦ波形を前記対の補助電極間に印加することによって、前記計算されたＦＮＦ波形を前記イオンの連続ビームに印加する、濾波雑音場を使用した多重化前駆体イオン選択のための方法の前記項目の任意の組み合わせの方法。
（項目１１）
前記質量分析計は、前記第１の四重極から伝送されるイオンを受け取り、無線周波数（ＲＦ）電位および分解直流（ＤＣ）電位を前記受け取られたイオンに印加するように適合されている第２の四重極をさらに含み、
前記プロセッサは、前記２つ以上の異なる前駆体イオンを含む質量範囲外の前駆体イオンを除去するために、前記受け取られたイオンに印加するためのＲＦ電位およびＤＣ電位をさらに計算し、前記プロセッサは、前記第２の四重極が、前記計算されたＲＦ電位およびＤＣ電位を前記受け取られたイオンに印加するように、前記質量分析計に追加の制御情報をさらに送信する、
濾波雑音場を使用した多重化前駆体イオン選択のための方法の前記項目の任意の組み合わせの方法。
（項目１２）
前記第１の四重極と前記第２の四重極とは、分断されている、濾波雑音場を使用した多重化前駆体イオン選択のための方法の前記項目の任意の組み合わせの方法。
（項目１３）
非一過性の有形コンピュータ読み取り可能な記憶媒体を備えているコンピュータプログラム製品であって、前記記憶媒体のコンテンツは、命令を伴うプログラムを含み、前記命令は、プロセッサ上で実行されることにより、濾波雑音場（ＦＮＦ）を使用した多重化前駆体イオン選択のための方法を実施し、前記方法は、
システムを提供することであって、前記システムは、１つ以上の個別のソフトウェアモジュールを備え、前記個別のソフトウェアモジュールは、分析モジュールおよび制御モジュールを備えている、ことと、
前記分析モジュールを使用して、ＦＮＦ波形を計算することによって、２つ以上の異なる前駆体イオンを選択することと、
前記制御モジュールを使用して、質量分析計に情報を送信することによって、前記計算されたＦＮＦ波形をイオンの連続ビームに印加することと
を含み、
前記質量分析計は、前記イオンの連続ビームを提供するイオン源と、前記イオンの連続ビームを受け取る第１の四重極とを含み、前記第１の四重極は、前記計算されたＦＮＦ波形を前記イオンの連続ビームに印加する、コンピュータプログラム製品。
（項目１４）
前記第１の四重極は、前記計算されたＦＮＦ波形を対のロッド間に印加することによって、前記計算されたＦＮＦ波形を前記イオンの連続ビームに印加する、濾波雑音場を使用した多重化前駆体イオン選択のためのコンピュータプログラム製品の前記項目の任意の組み合わせのコンピュータプログラム製品。
（項目１５）
前記第１の四重極は、前記第１の四重極のロッド間に設置された補助電極をさらに含み、前記第１の四重極イオンは、前記計算されたＦＮＦ波形を前記対の補助電極間に印加することによって、前記計算されたＦＮＦ波形を前記イオンの連続ビームに印加する、濾波雑音場を使用した多重化前駆体イオン選択のためのコンピュータプログラム製品の前記項目の任意の組み合わせのコンピュータプログラム製品。
【０００９】
本出願人の教示のこれらおよび他の特徴は、本明細書に記載される。
【図面の簡単な説明】
【００１０】
当業者は、後述の図面が、例証目的にすぎないことを理解するであろう。図面は、本教示の範囲をいかようにも制限することを意図するものではない。
【図１】図１は、本教示の実施形態が実装され得るコンピュータシステムを図示するブロック図である。
【図２】図２は、液体クロマトグラフィ（ＬＣ）ピーク幅等、一連の測定が、従来、総時間にわたってどのように行われるかを示す例示的タイミング図である。
【図３】図３は、種々の実施形態による、多重化前駆体イオン分離が、どのように同時に測定を行うかを示す例示的タイミング図である。
【図４】図４は、種々の実施形態による、イオンのビームに前駆体イオン選択および断片化を実施する、一連の四重極の例示的概略図である。
【図５】図５は、種々の実施形態による、濾波雑音場（ＦＮＦ）波形を作成するために使用される周波数の例示的コームである。
【図６】図６は、種々の実施形態による、２２５ｋＨｚ〜３７５ｋＨｚの範囲に広がる６つ周波数のバンド（５つのノッチ）から成る、例示的ＦＮＦ波形のプロットである。
【図７】図７は、種々の実施形態による、ＦＮＦ波形が、一対の四重極ロッド間にどのように印加されるかを示す、四重極ロッドの断面図である。
【図８】図８は、種々の実施形態による、ＦＮＦ波形が、四重極ロッド間に設置される一対の補助電極間にどのように印加されるかを示す、四重極ロッドの断面図である。
【図９】図９は、種々の実施形態による、多重化前駆体イオン分離前の前駆体イオンの例示的質量スペクトルのプロットである。
【図１０】図１０は、種々の実施形態による、ＦＮＦ波形を使用した多重化前駆体イオン分離後の前駆体イオンの例示的質量スペクトルのプロットである。
【図１１】図１１は、前種々の実施形態による、無線周波数（ＲＦ）および直流（ＤＣ）電位が、ＦＮＦ波形が印加された質量範囲を分解するために使用された後の駆体イオンの例示的質量スペクトルのプロットである。
【図１２】図１２は、種々の実施形態による、ＡおよびＢ極を示すために標識された四重極ロッドの断面図である。
【図１３】図１３は、種々の実施形態による、図１２の極ＡおよびＢに印加される分解ＤＣ（Ｕ）極性を示すために標識された四重極ロッドの断面図である。
【図１４】図１４は、種々の実施形態による、質量分析器の典型的動作に適用される、例示的マシュー安定性図である。
【図１５】図１５は、種々の実施形態による、ＦＮＦを使用した多重化前駆体イオン選択のためのシステムの概略図である。
【図１６】図１６は、種々の実施形態による、ＦＮＦを使用した多重化前駆体イオン選択のための方法を示す、フロー図である。
【図１７】図１７は、種々の実施形態による、ＦＮＦを使用した多重化前駆体イオン選択のための方法を行う、１つ以上の個別のソフトウェアモジュールを含む、システムの概略図である。
【発明を実施するための形態】
【００１１】
本教示の１つ以上の実施形態を詳細に説明する前に、当業者は、本教示が、その適用において、以下の発明を行うための形態に記載される、または図面に図示される、構造、構成要素の配列、およびステップの配列の詳細に制限されないことを理解するであろう。また、本明細書で使用される表現および専門用語は、説明の目的のためであり、制限として見なされるべきではないことを理解されたい。
【００１２】
（コンピュータ実装システム）
図１は、本教示の実施形態が実装され得る、コンピュータシステム１００を図示するブロック図である。コンピュータシステム１００は、情報を通信するためのバス１０２または他の通信機構と、情報を処理するためにバス１０２と結合されたプロセッサ１０４とを含む。コンピュータシステム１００は、プロセッサ１０４によって実行される命令を記憶するために、バス１０２に結合されるランダムアクセスメモリ（ＲＡＭ）または他の動的記憶デバイスであり得るメモリ１０６も含む。メモリ１０６は、プロセッサ１０４によって実行される命令の実行中、一時的変数または他の中間情報を記憶するためにも使用され得る。コンピュータシステム１００は、プロセッサ１０４のための静的情報および命令を記憶するために、バス１０２に結合された読み取り専用メモリ（ＲＯＭ）１０８または他の静的記憶デバイスをさらに含む。磁気ディスクまたは光ディスク等の記憶デバイス１１０は、情報および命令を記憶するために提供され、バス１０２に結合される。
【００１３】
コンピュータシステム１００は、情報をコンピュータユーザに表示するために、バス１０２を介して、ブラウン管（ＣＲＴ）または液晶ディスプレイ（ＬＣＤ）等のディスプレイ１１２に結合され得る。英数字および他のキーを含む入力デバイス１１４は、情報およびコマンド選択をプロセッサ１０４に通信するために、バス１０２に結合される。別のタイプのユーザ入力デバイスは、方向情報およびコマンド選択をプロセッサ１０４に通信し、ディスプレイ１１２上のカーソル移動を制御するためのマウス、トラックボール、またはカーソル方向キー等のカーソル制御１１６である。この入力デバイスは、典型的には、デバイスが平面において位置を指定することを可能にする２つの軸、すなわち、第１の軸（すなわち、ｘ）および第２の軸（すなわち、ｙ）において、２自由度を有する。
【００１４】
コンピュータシステム１００は、本教示を実施することができる。本教示のある実装によると、結果は、メモリ１０６内に含まれる１つ以上の命令の１つ以上の連続をプロセッサ１０４が実行することに応答して、コンピュータシステム１００によって提供される。そのような命令は、記憶デバイス１１０等の別のコンピュータ読み取り可能な媒体から、メモリ１０６内に読み込まれ得る。メモリ１０６内に含まれる命令の連続の実行は、プロセッサ１０４に、本明細書に説明されるプロセスを行わせる。代替として、本教示を実装するために、有線回路がソフトウェア命令の代わりに、またはそれと組み合わせて使用され得る。したがって、本教示の実装は、ハードウェア回路およびソフトウェアの任意の具体的組み合わせに制限されない。
【００１５】
用語「コンピュータ読み取り可能な媒体」は、本明細書で使用される場合、実行のために、命令をプロセッサ１０４に提供することに関与する任意の媒体を指す。そのような媒体は、不揮発性媒体、揮発性媒体、および伝送媒体を含むが、それらに制限されない、多くの形態をとり得る。不揮発性媒体は、例えば、記憶デバイス１１０等の光学または磁気ディスクを含む。揮発性媒体は、メモリ１０６等の動的メモリを含む。伝送媒体は、バス１０２を備えている配線を含む、同軸ケーブル、銅線、および光ファイバを含む。
【００１６】
コンピュータ読み取り可能な媒体の一般的形態として、例えば、フロッピー（登録商標）ディスク、フレキシブルディスク、ハードディスク、磁気テープ、または任意の他の磁気媒体、ＣＤ−ＲＯＭ、デジタルビデオディスク（ＤＶＤ）、ブルーレイディスク、任意の他の光学媒体、サムドライブ、メモリカード、ＲＡＭ、ＰＲＯＭ、およびＥＰＲＯＭ、フラッシュ−ＥＰＲＯＭ、任意の他のメモリチップまたはカートリッジ、あるいはコンピュータが読み取ることができる任意の他の有形媒体が挙げられる。
【００１７】
コンピュータ読み取り可能な媒体の種々の形態は、実行のために、１つ以上の命令の１つ以上の連続をプロセッサ１０４に搬送することに関わり得る。例えば、命令は、最初は、遠隔コンピュータの磁気ディスク上で搬送され得る。遠隔コンピュータは、命令をその動的メモリ内にロードし、モデムを使用して、電話回線を介して、命令を送信することができる。コンピュータシステム１００に対してローカルのモデムは、データを電話回線上で受信し、赤外線伝送機を使用して、データを赤外線信号に変換することができる。バス１０２に結合された赤外線検出器は、赤外線信号において搬送されるデータを受信し、データをバス１０２上に配置することができる。バス１０２は、データをメモリ１０６に搬送し、そこから、プロセッサ１０４は、命令を読み出し、実行する。メモリ１０６によって受信された命令は、随意に、プロセッサ１０４による実行の前後のいずれかに、記憶デバイス１１０上に記憶され得る。
【００１８】
種々の実施形態によると、方法を実施するためにプロセッサによって実行されるように構成される命令は、コンピュータ読み取り可能な媒体上に記憶される。コンピュータ読み取り可能な媒体は、デジタル情報を記憶するデバイスであることができる。例えば、コンピュータ読み取り可能な媒体は、ソフトウェアを記憶するために、当技術分野において公知のコンパクトディスク読み取り専用メモリ（ＣＤ−ＲＯＭ）を含む。コンピュータ読み取り可能な媒体は、実行されるように構成される命令を実行するために好適なプロセッサによってアクセスされる。
【００１９】
本教示の種々の実装の以下の説明は、例証および説明の目的のために提示されている。これは、包括的でもなく、本教示を開示される精密な形態に制限するものでもない。修正および変形例が、前述の教示に照らして可能である、または本教示の実践から取得され得る。加えて、説明される実装は、ソフトウェアを含むが、本教示は、ハードウェアおよびソフトウェアの組み合わせとして、またはハードウェア単独において、実装され得る。本教示は、オブジェクト指向および非オブジェクト指向両方のプログラミングシステムによって実装され得る。
【００２０】
（濾波雑音場（ｆｉｌｔｅｒｅｄ  ｎｏｉｓｅ  ｆｉｅｌｄ）を使用した多重化分離）
前述のように、多重反応監視（ＭＲＭ）における複数の標的前駆体イオンの従来の直列分離は、データ収集プロセスの全体的デューティサイクル、収集される定量データの信号対雑音比（Ｓ／Ｎ）、および監視される前駆体イオンの数間のトレードオフにつながる。本質的に、データ収集プロセスの全体的デューティサイクルの改善は、設定期間（すなわち、ＬＣピーク幅）内において、可能な限り多くの前駆体イオン測定を実施することを意味する。測定される前駆体イオンの数の増加は、全体的デューティサイクルの増加をもたらすが、各個々の前駆体イオンに対するデューティサイクルの減少をもたらすであろう。換言すると、データ収集プロセスの全体的デューティサイクルにおける任意の改善は、収集される定量データのＳ／Ｎを減らす。Ｓ／Ｎを改善するために利用可能な唯一の変数が、測定時間の増加であると仮定すると、全体的測定時間が、例えば、液体クロマトグラフィ（ＬＣ）ピークの持続時間によって固定されている場合、定量データのＳ／Ｎの任意の改善は、データ収集プロセスの全体的デューティサイクルに悪影響を及ぼす。
【００２１】
図２は、ＬＣピーク幅等の総時間にわたって、一連の測定が、従来、どのように行われるかを示す例示的タイミング図２００である。各個々の測定のデューティサイクルは、総時間（Ｔ）２２０によって除算される測定時間（Δｔ）２１０である。総時間は、測定が行われ得る期間、例えば、ＬＣピーク幅によって定義される。測定時間は、総時間の間に行われる必要がある測定数（Ｎ）２３０によって決定され、すなわち、Δｔ＝Ｔ／Ｎである。信号対雑音比を改善するために、測定時間Δｔ２１０の長さは、典型的には、延長される。しかしながら、直列測定を使用するとき、これは、より少ない測定が行われ得ることを意味する。
【００２２】
種々の実施形態では、データ収集プロセスの全体的デューティサイクルと収集される定量データのＳ／Ｎとの間のトレードオフをなくすために、多重化前駆体イオン分離のための方法およびシステムが、提供される。具体的には、方法およびシステムは、イオントラップが着目質量範囲にわたって走査される場合の質量スペクトルである、高感度生成イオン（ＥＰＩ）モードで動作させられる三連四重極（ＱＱＱ）、四重極飛行時間（Ｑ−ＴＯＦ）質量分析計、および／またはハイブリッド線形イオントラップ三連四重極（Ｑトラップ等）質量分析計において実装され得る多重化を通してフローを提供する。Ｑ−ＴＯＦ質量分析計および線形イオントラップ質量分析計の感度は、多重化の使用を通して高められることができる。ＱＱＱ、Ｑ−ＴＯＦ、または線形イオントラップ質量分析計は、例証目的のために本明細書に説明される。当業者は、他のタイプの器具も、多重化から等しく利益を享受し得ることを理解し得る。
【００２３】
本質的に、多重化前駆体イオン分離は、同一期間内において、２つ以上の標的前駆体イオンの選択および伝送を伴う。多重化前駆体イオン分離の別の重要な側面は、多重化を通した連続動作またはフローである。換言すると、多重化前駆体イオン分離は、質量分析計を通したイオンの連続フローに基づいて行われる。２つ以上の標的前駆体イオンを同時に選択または分離することに対する時間の不利益はない。
【００２４】
図３は、種々の実施形態による、多重化前駆体イオン分離が、どのように測定を同時に行うかを示す例示的タイミング図３００である。Ｎ個の測定２３０が、総時間Ｔ２２０の間、同時に行われる場合、各個々の測定に対する総測定時間は、Ｎ×Δｔ３１０であり、これは、Ｎ倍のデューティサイクルの増加を意味する。これはまた、各測定に対する改善された信号対雑音比につながり、より低い検出限界またはより感度の高い質量分析計につながる。
【００２５】
図４は、種々の実施形態による、イオンのビームに対して前駆体イオン選択および断片化を実施する一連の四重極４００の例示的概略図である。一連の四重極４００は、四重極４１０と、四重極４１１と、四重極４１２とを含む。前駆体イオン４０５のビームは、イオン源（図示せず）から四重極４１０に伝送される。例えば、四重極４１０は、Ｑ０四重極であり、四重極４１１は、Ｑ１四重極であり、四重極４１２は、Ｑ２四重極である。
【００２６】
例えば、四重極４１０は、イオンガイドであり、四重極４１１は、質量フィルタである。四重極４１０および四重極４１１は両方とも、イオンガイドであることができる。しかしながら、典型的イオンガイドは、分解ＤＣを四重極に印加する能力を有していない一方、質量フィルタは、それを有する。濾波雑音場（ｆｉｌｔｅｒｅｄ  ｎｏｉｓｅ  ｆｉｅｌｄ：ＦＮＦ）波形が、これらの四重極のいずれかに印加されることができる。分解ＤＣ印加を用いた四重極へのＦＮＦ波形の印加は、例えば、波形の周波数成分が、分解ＤＣ電位を考慮して計算されることを意味する。
【００２７】
前駆体イオン選択は、四重極４１０および四重極４１１の両方に生じる。四重極４１１は、例えば、＜１０−４Ｔｏｒｒの圧力で動作している。四重極４１０および４１２は、数ｍＴｏｒｒ〜１０ｍＴｏｒｒで動作することができる。四重極４１２は、例えば、断片化デバイスまたは衝突セルである。当業者は、任意のタイプの断片化デバイスが使用されることができることを理解し得る。選択された前駆体イオンの生成イオン４１５は、例えば、質量分析のために、四重極４１２から伝送される。
【００２８】
種々の実施形態では、多重化前駆体イオン分離は、ＦＮＦ波形を使用して実施される。双極励起が、イオンを励起するために使用される。ＦＮＦ波形は、図７および８における矢印によって示される双極励起を使用して印加される。例えば、複数の前駆体イオンが、四重極４１０内にＦＮＦ場を印加することによって、四重極４１０内で同時に選択される。
【００２９】
図５は、種々の実施形態による、ＦＮＦ波形を作成するために使用される周波数５００の例示的コームである。各垂直線は、周波数成分を表す。ノッチは、除去された周波数成分である。欠失周波数成分は、選択されるように意図される、前駆体イオンの永年周波数に対応する。ＦＮＦ波形は、着目質量によって決定される周波数の範囲に及ぶ、周波数のコームから作成される。前駆体イオン質量５１０−５５０は、周波数５６０のコームを印加することによって選択される。
【００３０】
図６は、種々の実施形態による、２２５ｋＨｚ〜３７５ｋＨｚの範囲に広がる６つの周波数バンド（５つのノッチ）から成る、例示的ＦＮＦ波形６１０のプロット６００である。ＦＮＦ波形６１０の個々の周波数成分は、０．５ｋＨｚ間隔を置かれる。ノッチは、＜５ｋＨｚ幅である。個々の波形成分（周波数）の数は、２５６である。ＦＮＦ波形６１０内には、２０，０００個の点が存在する。ＦＮＦ波形６１０は、２μｓの持続時間であり、したがって、図６に示されるものは、継続的に繰り返される。ＦＮＦ波形６１０の外観には、個々の波形成分の不在を示すものは存在しない。ＦＮＦ波形は、ノッチの有無にかかわらず、非常に似ている。ＦＮＦ波形６１０内の６つの周波数バンドは、以下の表に示される。
【００３１】
【表１】
0006418702.tif 000002
【００３２】
周波数の選択は、各イオンに対するマシューｑ値に依存し、マシューｑ値は、四重極が、例えば固定無線周波数（ＲＦ）振幅に固定されている場合、イオンの質量に逆比例する。値ｑは、方程式（１）によって定義される。
【００３３】
【数１】
0006418702.tif 000003
【００３４】
式中、ｅは、電子電荷であり、Ｖｒｆは、極から接地まで測定されたＲＦ振幅であり、ｍは、イオンの質量であり、ｒ０は、四重極の場半径であり、Ωは、四重極の角駆動周波数である。方程式（１）から分かるように、各イオンは、ＲＦ振幅が一定に保持されると、その独自の特定のｑ値を有する。イオンの運動周波数ω０は、方程式（２）から決定されることができる。
【００３５】
【数２】
0006418702.tif 000004
【００３６】
式中、βは、ｑの関数である。除去されないイオンは、ＦＮＦ波形にないそれらのそれぞれの周波数を有するであろう。欠失周波数は、例えば、図５における位置５１０−５５０に位置する質量空間内に孔を作成する。
【００３７】
種々の実施形態では、ＦＮＦ波形は、一対の四重極ロッド間に印加される。種々の代替実施形態では、ＦＮＦ波形は、四重極内の一対の補助電極間に印加される。
【００３８】
図７は、種々の実施形態による、ＦＮＦ波形が、一対の四重極ロッド間にどのように印加されるかを示す、四重極ロッド７００の断面図である。ＦＮＦ波形７５０は、例えば、四重極ロッド７２０と四重極ロッド７３０との間に印加される。ＦＮＦ波形はまた、例えば、四重極ロッド７１０と四重極ロッド７４０との間に印加されることができる。ＦＮＦ波形を四重極のロッドに印加することによって、四重極への修正は、最小であり、さらなる電極が四重極に追加される必要はない。
【００３９】
図８は、種々の実施形態による、ＦＮＦ波形が、四重極ロッド間に設置される一対の補助電極間にどのように印加されるかを示す四重極ロッド８００の断面図である。補助電極８５０−８８０は、四重極ロッド８１０−８４０間に設置される。ＦＮＦ波形８９０は、補助電極８５０と補助電極８７０との間に印加される。ＦＮＦ波形はまた、補助電極８６０と補助電極８８０との間に印加されることができる。
【００４０】
図４に戻ると、四重極４１０内の圧力は、典型的には、３〜１０ｍＴｏｒｒの窒素である。この圧力では、イオンは、四重極を通過するために、数ミリ秒を必要とする。この時間量は、ＦＮＦ波形が、望ましくないイオンを効果的に除去するために十分である。
【００４１】
種々の実施形態では、イオンは、その半径方向振幅が、イオンが電極と衝突する点に到達するまで、イオンの励起によって除去される。代替として、イオンは、イオンを解離させる背景ガスとの衝突を通したイオンの内部励起によって除去され、それらの断片イオンは、質量空間の別の領域内に配置される。イオンの除去のための両機構は、同時に生じる可能性が高い。各々の割合は、ＦＮＦ波形の振幅に依存するであろう。より高い振幅は、より多くのイオンがロッドに衝打することにつながる一方、励起振幅の低下は、励起下におけるより多くのイオンの断片化につながる。内部励起が生じると、断片イオンは、それ自体が、ＦＮＦ波形の成分によって励起されるか、またはＦＮＦによって影響を受けない質量空間の領域にある場合、四重極４１１内の次のステップにおいて除去され得る。ＦＮＦ波形は、最低質量前駆体イオンの低質量側から最高質量前駆体イオンの高質量側に及ぶ質量範囲のみを包含する必要がある。これは、ＦＮＦが及ぶ領域内においてのみ、イオンが除去される質量スペクトルを生成する。
【００４２】
図９は、種々の実施形態による、多重化前駆体イオン分離前の前駆体イオンの例示的質量スペクトルのプロット９００である。ピーク９１０−９５０は、例えば、５つの標的前駆体イオンを表す。プロット９００は、イオンが、図４の四重極４１０等の第１の四重極に進入する場合の質量スペクトルを示す。
【００４３】
図１０は、種々の実施形態による、ＦＮＦ波形を使用した多重化前駆体イオン分離後の前駆体イオンの例示的質量スペクトルのプロット１０００である。ＦＮＦ波形は、領域１０１０に印加され、５つの標的前駆体イオンのピーク９１０−９５０を分離する。プロット１０００は、イオンが、図４の四重極４１０等の第１の四重極を通過し、ＦＮＦ波形を受けた後の質量スペクトルを示す。
【００４４】
種々の実施形態では、領域１０１０外のイオンは、分解直流（ＤＣ）電位を図４の四重極４１１等の質量分析四重極に印加することによって、除去される。種々の実施形態では、印加される分解ＤＣ電位の量は、質量分析四重極を通して伝送されるべき所望の質量範囲に基づいて、計算される。
【００４５】
種々の実施形態では、ＦＮＦ波形が及ぶ質量窓および四重極４１１内の質量窓は、理想的には、一致させられる。種々の代替実施形態では、窓は、一致させられず、ＦＮＦ波形質量範囲は、四重極４１１内の質量窓と同一またはそれを上回って及ぶ。ＦＮＦ波形範囲が広いほど、より多くの波形成分（または、周波数）が要求され、これは、より多くの電力が、ＦＮＦ波形を発生させるために要求されることを意味することに留意されたい。概して、より多い波形成分ではなく、より少ない波形成分を有することが、より好ましい。これは、ＦＮＦ波形のための電力供給源上の振幅に対する需要を低下させる。例えば、周波数成分が、ある時点においてたまたま同相である場合、電力供給源は、個々の周波数成分の振幅の合計に等しい振幅を送達しなければならない。
【００４６】
図１２は、種々の実施形態による、Ａ１２１０およびＢ１２２０極を示すために標識される、四重極ロッドの断面図１２００である。質量窓の場所および幅は、図４の四重極４１１等の質量分析四重極に印加されるＲＦ電位の振幅および分解ＤＣの大きさによって決定される。ＲＦ電位は、Ａ１２１０極とＢ１２２０極との間に１８０o位相差を伴って流れる。
【００４７】
図１３は、種々の実施形態による、図１２の極Ａ１２１０およびＢ１２２０に印加される分解ＤＣ（Ｕ）極性を示すために標識される、四重極ロッドの断面図１３００である。Ｕは、質量分解四重極の１２１０および１２２０極に反対極性で印加される。
【００４８】
ＲＦの振幅および分解ＤＣの大きさは、質量分析四重極を通して所望の質量範囲の伝送を可能にするように調節されることができる。ＲＦの振幅および分解ＤＣの大きさは、以下のマシューパラメータから見出されることができる。
【００４９】
【数３】
0006418702.tif 000005
【００５０】
および
【００５１】
【数４】
0006418702.tif 000006
【００５２】
式中、ｍは、質量であり、ｒ０は、四重極の場半径であり、Ωは、四重極の角駆動周波数であり、Ｕは、極から接地まで測定される分解ＤＣであり、Ｖは、極から接地まで測定されるＲＦ振幅である。
【００５３】
変数ＵおよびＶは、大質量窓の伝送を可能にするように四重極を設定するために要求される、唯一のパラメータである。パラメータａおよびｑは、四重極質量分析器を通したイオンの通過が、安定か不安定かを決定するために使用され得る、マシューパラメータである。
【００５４】
図１４は、種々の実施形態による、質量分析器の典型的動作に適用される、例示的マシュー安定性図１４４０である。三角形領域１４１０の内側にある、ａおよびｑに対する値を有するイオンは、安定しており、四重極を通して伝送される。領域１４１０の外側のものは、失われる。安定性図の境界とのより太い線の交差点は、大質量窓内のそれらのイオンに対するａおよびｑ値を定義する。高ｑにおける交差点１４２０は、大質量窓の低質量縁におけるイオンに対するａ、ｑ値を表す一方、低ｑにおける交差点１４３０は、大質量窓の高質量縁におけるイオンに対するａ、ｑ値を表す。単一のＵ、Ｖ組み合わせは、両交差点におけるａおよびｑに対する要件を充足し、反復プロセスを通して計算されることができる。
【００５５】
（濾波雑音場システム）
図１５は、種々の実施形態による、ＦＮＦを使用した多重化前駆体イオン選択のためのシステム１５００の概略図である。システム１５００は、質量分析計１５１０と、プロセッサ１５２０とを含む。
【００５６】
質量分析計１５１０は、イオン源４９０と、第１の四重極４１０と、第２の四重極４１１と、第３の四重極４１２とを含む。イオン源４９０は、イオンの連続ビームを四重極４１０に提供する。第１の四重極４１０は、イオンの連続ビームをイオン源４９０から受け取る。第１の四重極４１０は、ＦＮＦ波形をイオンの連続ビームに印加するように適合される。
【００５７】
プロセッサ１５２０は、限定ではないが、コンピュータ、マイクロプロセッサ、または質量分析計１５１０へおよびそこからの制御信号ならびにデータの送受信が可能な任意のデバイスであることができる。プロセッサ１５２０は、質量分析計１５１０と通信する。
【００５８】
プロセッサ１５２０は、２つ以上の異なる前駆体イオンを選択する。プロセッサ１５２０は、ＦＮＦ波形を計算することによって、これを行う。種々の実施形態では、２つ以上の異なる前駆体イオンの質量に対応する、周波数は、計算されたＦＮＦ波形から除去される。
【００５９】
プロセッサ１５２０は、計算されたＦＮＦ波形をイオンの連続ビームに印加する。プロセッサ１５２０は、第１の四重極が計算されたＦＮＦ波形をイオンの連続ビームに印加するように、情報を質量分析計１５１０に送信することによって、これを行う。当業者は、情報が、制御情報、データ情報、または両方を含むことができることを理解し得る。
【００６０】
プロセッサ１５２０は、ＦＮＦ波形を計算する。プロセッサ１５２０は、計算されたＦＮＦ波形から、２つ以上の異なる前駆体イオンの質量に対応する、周波数を除去することによって、２つ以上の異なる前駆体イオンを選択する。プロセッサ１５２０は、第１の四重極４１０が、計算されたＦＮＦ波形をイオンの連続ビームに印加するように、制御情報を質量分析計１５１０に送信する。
【００６１】
種々の実施形態では、第１の四重極４１０は、計算されたＦＮＦ波形を対のロッド間に印加することによって、ＦＮＦ波形をイオンのビームに印加する。
【００６２】
種々の実施形態では、第１の四重極４１０はさらに、そのロッド間に設置された補助電極を含む。第１の四重極４１０は、計算されたＦＮＦ波形を対の補助電極間に印加することによって、計算されたＦＮＦ波形をイオンの連続ビームに印加する。
【００６３】
種々の実施形態では、第２の四重極４１１は、第１の四重極４１０から伝送されるイオンを受け取る。第２の四重極４１１は、ＲＦ電位および分解ＤＣ電位を受け取られたイオンに印加するように適合される。プロセッサ１５２０はさらに、２つ以上の異なる前駆体イオンを含む質量範囲外の前駆体イオンを除去するために、受け取られたイオンに印加するためのＲＦ電位およびＤＣ電位を計算する。プロセッサ１５２０は、第２の四重極４１１が、計算されたＲＦ電位およびＤＣ電位を受け取られたイオンに印加するように、追加の制御情報を質量分析計に送信する。
【００６４】
種々の実施形態では、第１の四重極４１０および第２の四重極４１１は、電気的に分断される。例えば、各四重極は、その独自の電気電力供給源によって供給される。
【００６５】
種々の実施形態では、２つ以上の異なる前駆体イオンは、断片化のために、第２の四重極４１１から第３の四重極４１２に伝送される。選択される２つ以上の異なる前駆体イオンの生成イオン４１５は、例えば、質量分析のために、第３の四重極４１２から伝送される。
【００６６】
（濾波雑音場法）
図１６は、種々の実施形態による、ＦＮＦを使用した多重化前駆体イオン選択のための方法１６００を示すフロー図である。
【００６７】
方法１６００のステップ１６１０では、２つ以上の異なる前駆体イオンが、プロセッサを使用して選択される。プロセッサは、ＦＮＦ波形を計算し、計算されたＦＮＦ波形から、２つ以上の異なる前駆体イオンの質量に対応する周波数を除去する。
【００６８】
ステップ１６２０では、計算されたＦＮＦ波形は、プロセッサを使用して、イオンの連続ビームに印加される。プロセッサは、情報を質量分析計に送信する。質量分析計は、イオンの連続ビームを提供するイオン源と、イオンの連続ビームを受け取る第１の四重極とを含む。情報は、第１の四重極が計算されたＦＮＦ波形をイオンの連続ビームに印加するように、質量分析計に送信される。
【００６９】
（濾波雑音場コンピュータプログラム製品）
種々の実施形態では、コンピュータプログラム製品は、有形コンピュータ読み取り可能な記憶媒体を含み、そのコンテンツは、ＦＮＦを使用した多重化前駆体イオン選択および伝送のための方法を行うように、プロセッサ上で実行される命令を伴うプログラムを含む。本方法は、１つ以上の個別のソフトウェアモジュールを含むシステムによって行われる。
【００７０】
図１７は、種々の実施形態による、ＦＮＦを使用した多重化前駆体イオン選択のための方法を行う、１つ以上の個別のソフトウェアモジュールを含む、システム１７００の概略図である。システム１７００は、分析モジュール１７１０と、制御モジュール１７２０とを含む。
【００７１】
分析モジュール１７１０は、２つ以上の異なる前駆体イオンを選択する。分析モジュール１７１０は、ＦＮＦ波形を計算し、計算されたＦＮＦ波形から、２つ以上の異なる前駆体イオンの質量に対応する周波数を除去することによって、これを行う。
【００７２】
制御モジュール１７２０は、計算されたＦＮＦ波形をイオンの連続ビームに印加する。制御モジュール１７２０は、情報を質量分析計に送信することによって、これを行う。質量分析計は、イオンの連続ビームを提供するイオン源と、イオンの連続ビームを受け取る第１の四重極とを含む。情報は、第１の四重極が計算されたＦＮＦ波形をイオンの連続ビームに印加するように、質量分析計に送信される。
【００７３】
本教示は、種々の実施形態と併せて説明されるが、本教示が、そのような実施形態に制限されることを意図するものではない。対照的に、本教示は、当業者によって理解されるように、種々の代替、修正、および均等物を包含する。
【００７４】
さらに、種々の実施形態の説明において、本明細書は、ステップの特定の連続として、方法および／またはプロセスを提示し得る。しかしながら、方法またはプロセスが本明細書に記載されるステップの特定の順序に依拠しない程度において、方法またはプロセスは、説明されるステップの特定の連続に制限されるべきではない。当業者が理解するであろうように、ステップの他の連続も可能であり得る。したがって、本明細書に記載されるステップの特定の順序は、請求項に関する制限として解釈されるべきでない。加えて、方法および／またはプロセスを対象とする請求項は、そのステップの実施を書かれた順序に制限されるべきではなく、当業者は、連続が、変動され得、依然として、種々の実施形態の精神および範囲内にあることを容易に理解することができる。
【図１】
0006418702.tif 000007
【図２】
0006418702.tif 000008
【図３】
0006418702.tif 000009
【図４】
0006418702.tif 000010
【図５】
0006418702.tif 000011
【図６】
0006418702.tif 000012
【図７】
0006418702.tif 000013
【図８】
0006418702.tif 000014
【図９】
0006418702.tif 000015
【図１０】
0006418702.tif 000016
【図１１】
0006418702.tif 000017
【図１２】
0006418702.tif 000018
【図１３】
0006418702.tif 000019
【図１４】
0006418702.tif 000020
【図１５】
0006418702.tif 000021
【図１６】
0006418702.tif 000022
【図１７】
0006418702.tif 000023